【事件の表示】
　平成　７年特許願第３３７９５６号「カセッテレスＸ線透視撮影装置」拒絶査定不服審判事件〔平成　９年　６月１０日出願公開、特開平　９−１５２６７０〕について、次のとおり審決する。
【結　論】
　本件審判の請求は、成り立たない。
【理　由】
１．手続の経緯
　本願は、平成７年１１月３０日の出願であって、平成１５年５月１３日付で拒絶査定がなされ、これに対し、同年６月６日に拒絶査定に対する審判請求がなされるとともに、同年６月６日付で手続補正がなされたものである。
　
２．平成１５年６月６日付の手続補正についての補正却下の決定
〔補正却下の決定の結論〕
　平成１５年６月６日付の手続補正を却下する。
〔理由〕
　平成１５年６月６日付の手続補正は、特許請求の範囲の請求項１において、「手前側部分」を「延設部分」に、「本体ケース前面」を「本体ケース側面」に補正する点を含むものである。
　この補正後の記載は、「待機位置」の配置が、天板の長手方向に平行な天板の２つの側面のうちのどちらの側面でもよい構成を示し、フィルムマガジンの差し込み方向も、本体ケース側面なら、いずれの側からでもよい構成を示すが、出願当初の明細書及び図面では、「待機位置」は、天板の長手方向に平行な天板の２つの側面のうちの特定の一方の側面（「手前側」と記載される側）に配置され、フィルムマガジンの差し込み方向も、本体ケースの特定の一側面（「前面」）の構成が記載されているのみであるので、この補正は特許請求の範囲の減縮とは認められず、特許法第１７条の２第４項各号にも該当しない。
　したがって、この補正は特許法第１７条の２第４項各号の規定に違反しているので、同法第１５９条第１項により読み替えて準用する同法第５３条第１項の規定により、その補正を却下する。
　
３．本願発明について
　平成１５年６月６日付の手続補正は上記のとおり却下されたので、本願の請求項１に係る発明は、平成１５年３月１１日付手続補正書の特許請求の範囲の請求項１に記載された事項により特定される次のとおりのものである。
「【請求項１】　
　被検体を載置する天板と、この天板を挟む対向位置に配置されたＸ線管およびイメージインテンシファイアと、カセッテレス撮影が可能なカセッテレス速写撮影装置とを備えているカセッテレスＸ線透視撮影装置において、前記カセッテレス速写撮影装置の本体ケースを、前記Ｘ線管からのＸ線が透過するＸ線透過領域を含む前記天板下部にて前記天板の長手方向とほぼ直交する横断方向に向かって延びるように配設するとともに、その手前側部分が天板の長手方向に沿って伸延して上方から見たかたちがほぼＬ字となるように配設し、前記本体ケースの長手方向に沿って伸延した先側部分には、フィルムキャリッジとの間でフィルムの供給／収納を行うためのフィルムマガジンが本体ケース前面から差し込まれて装填される装填位置が設けられ、前記本体ケースのＬ字の角にあたる部分には、前記装填位置にあるフィルムマガジンとの間でフィルムの搬送を行う際にフィルムキャリッジが待機する待機位置が前記装填位置に隣接して設けられ、待機位置から天板を横断する方向にあたる前記Ｘ線透過領域には撮影位置が設けられているとともに、前記待機位置と前記撮影位置とに渡って往復移動可能なフィルムキャリッジを備えていることを特徴とするカセッテレスＸ線透視撮影装置。」（以下、「本願発明」という。）
　
（１）引用例
　原査定の拒絶の理由に引用された引用文献１〔実願昭５７−６１３５６号（実開昭５８−１６３９５６号）のマイクロフィルム〕には、次の事項が記載されている。
「以下図面によってこの考案の実施例を説明する。第２図はこの考案にかかる実施例Ｘ線透視撮影台（１１）の外観斜視図であり、第３図は上記透視撮影台（１１）の矢印（ｅ）方向から見た正面部分図である。透視撮影台本体（１２）は床面（１３）上に固定した装置基台（１４）に回転自在に支承され、天板（１５）に被検体をのせた状態で図示の水平位から時計方向矢印（ｆ）方向に９０゜回転し、天板踏台（１６）に支承された立位および反時計方向矢印（ｆ’） 方向に回転し逆傾位まで任意の角度で透視撮影できる。また天板（１５）側方の支持脚（１７）に樹設した支柱（１７Ｐ）上に、Ｘ線管装置（１８）が支承されており、撮影台本体（１２）に対し天板（１５）の長手方向すなわち矢印（ｇ）方向に移動自在であり、その最大ストロークは本体（１２）の凹部全長（Ｌ１）から支持脚（１７）と一体のキャリッジ保持アーム（１７Ａ）（１７Ａ’）の幅（Ｌ２）との差（△Ｌ＝Ｌ１−Ｌ２）であり、上記（Ｌ１）がたとえば１５０ｃｍとすれば（Ｌ２）が約７０ｃｍで小さく、したがって（△Ｌ）は８０ｃｍと大きくとれる。この支持脚（１７）は第３図に示すようにＸ線放射錐中心軸（ＸＣ）上にイメージ管（１９）管軸（１９Ｃ）を合わせて、それを支承しており撮影に先立って天板（１５）上の被検体の透視を行う。また天板（１５）は天板スライド機構（１５Ｓ）によって本体（１２）の長手方向に最大ストロークたとえば水平位で１５０ｃｍ、立位で６５ｃｍ摺動自在であり、さらに本体（１２）の幅方向にも摺動可能である。以上の構成によって天板（１５）上の被検体の任意の撮影部位をイメージ管（１９）によって透視を行い、つぎに天板（１５）真下の撮影位置（２０Ｂ）にＸ線カットフィルム（Ｆ１）を２枚の増感紙に挟持した状態のキャリッジ（２０）が進入し、撮影を行うのであり、第２図はキャリッジ（２０）が撮影位置（２０Ｂ）に進入した状態を示す。キャリッジ（２０）の上部には２本のレール（２１）があり、これをガイドとして２本の分割マスク（２２）（２３）が移動自在に設けられ、フィルムサイズ選択と連動して、自動的に撮影フィルムの分割を行う。第４図はこの考案の要部である平面図Ｌ字状カセッテレス速写装置（２４）の構成を示すためカバーを外した平面図である。３点鎖線で示す天板（１５）の長手方向に直交してキャリッジ（２０）の上記撮影位置（（２５）はカットフィルム（Ｆ１）の中心位置）からカットフィルム出し入れ位置すなわち撮影待機位置（２０Ａ）（（２６）はそのカットフィルム（Ｆ１）の中心位置）の往復動の軌道（２７）（２８）機構がＸ線管装置支持腕（１７）を貫通して設けられている。図示を省いた駆動モータによってスプロケットホイール（２９）（２９’）はエンドレスチェン（３０）を介して、キャリッジ（２０）を上記両位置（２０Ａ）（２０Ｂ）間を往復走行させる。図はキャリッジ（２０）がフィルム出し入れ位置（２０Ａ）においてカットフィルム送受機構（３１）に対向している状態を示している。この機構（３１）の天板長手方向の長さ（Ｌ３）は天板スライド機構（１５Ｓ）とほぼ同寸法に作られているので、術者は天板（１５）の端（１５Ｔ）をわずかに回ってマガジン（３２）（３３）の装着��ができる。このためＸ線透視撮影台（１１）の裏面にマガジン着脱のための空間は不要となり、Ｘ線透視撮影台（１１）を部屋の壁面に近づけて設置でき、据付床面積を低減できる。第５図は第４図のＶＩ−ＶＩ’断面を示す図で、第４、５図を併用して説明する。未撮影フィルム（Ｆ１）を収納したサプライマガジン（３２）、撮影ずみフィルム（Ｆ２）を収納するレシーブマガジン（３２）が天板（１５）の長手方向と平行する矢印（ｈ）方向に第５図に示すように若干傾めに装着（脱）されている。第５図で点線で示す未撮影フィルム（Ｆ１）が複数の吸盤（３４）によって吸上げられ、送りローラ（３５）ならびにガイド板（３６）を介して矢印（＋Ｙ０）方向キャリッジ（２０）内に送り込まれる。その際フィルム（Ｆ１）はキャリッジの水平面に対してたとえば１５゜位の傾斜角で搬送されるので、ガイド（３６）に強く摩擦されることなくスムーズにキャリッジ（２０）内のフィルム保持搬送機構（３７）に送り込まれ、所定位置（後述する）に停止する。フィルム（Ｆ１）が停止すると図示を省いた圧着機構が作動して下部増感紙（３８）を上方に押し上げ、フィルム（Ｆ１）を上部増感紙（３９）との間に圧着する。フィルムの圧着が終り撮影準備信号によってキャリッジ（２０）は、上記走行軌道（２７）（２８）に沿って、前記天板下の撮影位置（２０Ｂ）に移動する。上記軌道（２７）は第５図で示すようにたとえば角状で上記搬送機構（３７）中の大経の通しローラ（３７Ｒ）を摺動自在に支承するとともに図示しない駆動モータによって回転し、上記ローラ（３７Ｒ）を回転させるものである。上部増感紙（３９）の上方にはグリット（４０）さらにその上方に前述の分割マスク（２２）（２３）が位置する。Ｘ線曝射が完了すればキャリッジ（２０）は再び待機位置（２０Ａ）に復帰し、上下増感紙（３９）（３８）の圧着を解除するとともに、フィルム保持搬送機構（３７）を前記供給のときと反対方向に作動する。この作動によって撮影ずみフィルム（Ｆ２）は矢印（−Ｙ０）方向に送り出され、ガイド板（４１）・送りローラ（４２）を介して、１点鎖線（Ｆ２）で示すようにレシーブマガジン（３３）内に送り込まれる。この際もキャリッジ水平面に対してたとえば１５゜位のゆるやかな傾斜面で搬送されるので、フィルム（Ｆ２）はガイド板（４１）などによって強い摩擦を受けることはない。以上で１サイクルのカットフィルムの全搬送が終了する」（第５頁第４行〜第９頁第１６行）
　
　Ｘ線透視撮影台において、撮影位置がＸ線透過領域であることは自明であり、Ｌ字状カセッテレス速写装置の外周は、本体ケースであり、Ｌ字の本体ケースの天板の長手方向に沿って伸延した部分は、反手前側部分にあるので、前記記載事項と図面の記載からみて、引用文献１には、「被検体をのせる天板と、この天板を挟む対向位置に配置されたＸ線管装置およびイメージ管と、カセッテレス撮影が可能なＬ字状カセッテレス速写装置とを備えているＸ線透視撮影台において、前記Ｌ字状カセッテレス速写装置の本体ケースを、前記Ｘ線管装置からのＸ線が透過するＸ線透過領域を含む前記天板下部にて前記天板の長手方向とほぼ直交する横断方向に向かって延びるように配設するとともに、その反手前側部分が天板の長手方向に沿って伸延して上方から見たかたちがほぼＬ字となるように配設し、前記本体ケースの長手方向に沿って伸延した先側部分には、キャリッジとの間でフィルムの供給／収納を行うためのマガジンが本体ケースの天板の長手方向から差し込まれて装着される装着位置が設けられ、前記本体ケースのＬ字の角にあたる部分には、前記装着位置にあるマガジンとの間でフィルムの搬送を行う際にキャリッジが待機する撮影待機位置が前記装着位置に隣接して設けられ、撮影待機位置から天板を横断する方向にあたる前記Ｘ線透過領域には撮影位置が設けられているとともに、前記撮影待機位置と前記撮影位置とに渡って往復走行可能なキャリッジを備えていることを特徴とするＸ線透視撮影台。」（以下、「引例発明１」という。）が記載されている。
　
　同引用文献２（特開昭４−１１０９３３号公報）には、次の事項が記載されている。
「B.従来技術
　この種のカセッテレスＸ線透視撮影装置に備えられるカセッテレス速写撮影装置は、本体ケース内に待機位置と撮影位置とにわたって往復移動可能なフィルムキャリッジを装備し、待機位置においてはフィルムマガジンからフィルムキャリッジへの未撮影フィルムの供給、および、フィルムキャリッジからフィルムマガジンへの撮影済みフィルムの返還を行うよう構成されたものであり、このカセッテレス速写撮影装置がＸ線透視台の裏面側あるいは前面側に設けられる。そして、Ｘ線透視台の裏面側に設けられたものは、フィルムマガジンの出し入れがＸ線透視台の裏面で行われ、また、前面側に設けられたものはフィルムマガジンの出し入れがＸ線透視台の前面で水平方向に行われる。
　第８図は、カセッテレス速写撮影装置７がＸ線透視撮影装置の前面側に設置された従来例を示し、Ｘ線管５の直下で天板３の下方に配備されたイメージインテンシファイア６の横側にフィルムマガジン10が充填され、・・・
　C.発明が解決しようとする課題
　上記したようにカセッテレス速写撮影装置は各種の形態でＸ線透視撮影装置に装備されているのであるが、そのフィルムマガジンの取扱いの点で次のような問題があった。
　つまり、フィルムマガジンをＸ線透視台の裏面側から出し入れする形式のものは、フィルムマガジンの出し入れのつどＸ線透視台の裏面にまわる必要があって煩わしいとともに、Ｘ線透視台の裏側にマガジン出し入れのできるスペースを確保しておく必要があり、壁際近くに、Ｘ線透視台を設置することができなかった。」（第１頁右欄第８行〜第２頁右上欄第３行）
　
「このカセッテレスＸ線透視撮影装置は、床面上に設置された基台１に、水平方向の軸心Ｐ周りで回動可能に回動フレーム２が取付けられ、この回動フレーム２に、前記軸心Ｐに直交する方向に移動可能に被検者搭載用の天板３が設けられ、そして、回動フレーム２の上方側に支柱４を介してＸ線管５が設置されるとともに、天板３の下方に位置させて、Ｘ線管５に相対向するイメージインテンシファイア６が設けられ、更に、天板３とイメージインテンシファイア６との間に、透過Ｘ線画像を撮影記録するカセッテレス速写撮影装置７が設けられている。」（第３頁左上欄第７〜１８行）
　
「本体ケース８の前端には、蓋カバー8aによって開閉される装填口38が形成されている。」（第４頁右上欄第８〜９行）
　
「可動フレーム９を前方の装填位置S2まで移動してフィルムマガジン10およびフィルムキャリッジ11を装填口38に臨むようにセットすると、蓋カバー8aを開いてのフィルムマガジン10の取り替えや、フィルムキャリッジ11自体の取外しが天板３の前方の広い空間で行える。」（第４頁左下欄第８〜１３行）
　
　前記記載事項と図面の記載からみて、引用文献２には、「フィルムマガジンの出し入れを、Ｘ線透視台の前面で行うことも、裏面で行うこともできること、及びフィルムマガジンが取り替えられる（出し入れされる）のが、本体ケースの前端からであること」（以下、「引例発明２」という。）が記載されている。
　
（２）対比
　引例発明１における「被検体をのせる」、「Ｘ線管装置」、「イメージ管」、「Ｌ字状カセッテレス速写装置」、「Ｘ線透視撮影台」、「キャリッジ」、「マガジン」、「装着される」、「装着位置」、「撮影待機位置」及び「往復走行」は、本願発明における「被検体を載置する」、「Ｘ線管」、「イメージインテンシファイア」、「カセッテレス速写撮影装置」、「カセッテレスＸ線透視撮影装置」、「フィルムキャリッジ」、「フィルムマガジン」、「装填される」、「装填位置」、「待機位置」及び「往復移動」にそれぞれ相当するものであるので、本願発明と引例発明１とを対比すると、「被検体を載置する天板と、この天板を挟む対向位置に配置されたＸ線管およびイメージインテンシファイアと、カセッテレス撮影が可能なカセッテレス速写撮影装置とを備えているカセッテレスＸ線透視撮影装置において、前記カセッテレス速写撮影装置の本体ケースを、前記Ｘ線管からのＸ線が透過するＸ線透過領域を含む前記天板下部にて前記天板の長手方向とほぼ直交する横断方向に向かって延びるように配設するとともに、その片側部分が天板の長手方向に沿って伸延して上方から見たかたちがほぼＬ字となるように配設し、前記本体ケースの長手方向に沿って伸延した先側部分には、フィルムキャリッジとの間でフィルムの供給／収納を行うためのフィルムマガジンが差し込まれて装填される装填位置が設けられ、前記本体ケースのＬ字の角にあたる部分には、前記装填位置にあるフィルムマガジンとの間でフィルムの搬送を行う際にフィルムキャリッジが待機する待機位置が前記装填位置に隣接して設けられ、待機位置から天板を横断する方向にあたる前記Ｘ線透過領域には撮影位置が設けられているとともに、前記待機位置と前記撮影位置とに渡って往復移動可能なフィルムキャリッジを備えていることを特徴とするカセッテレスＸ線透視撮影装置。」で両者の構成は一致し、次の点で両者の構成は相違する。
　
相違点（Ａ）：
　装填位置を含む、Ｌ字の本体ケースの天板の長手方向に沿って伸延した部分が、本願発明は、手前側部分であるのに対して、引例発明１は、反手前側部分である点。
　
相違点（Ｂ）：
　フィルムマガジンが差し込まれて装填されるのが、本願発明は、本体ケース前面からであるのに対して、引例発明１は、本体ケースの天板長手方向からである点。
　
（３）判断
相違点（Ａ）について：
　明細書の段落【００１４】「供給マガジン１５や収納マガジン１６は本体ケース前面（図１参照）１４ｂから手動で本体ケース１４の装填位置ＳＡに差し込むことにより装填される・・・両マガジン１５，１６が本体ケース前面（手前側）１４ｂから差し込まれる構成であるため、天板３の後側へ回り込んむ必要がなくフィルムマガジンを装填し易い上、・・・」の記載からみて、天板の長手方向に平行な天板の両側面のうち、本体ケース前面（手前側）側が、天板の前側であり、もう一方の天板の長手方向に平行な天板の側面が、天板の後側と認められる。
　本願発明において、装填位置を手前側にしたということは、装填位置を天板の前側にしたことである。
　引例発明２には、フィルムマガジンの出し入れを、Ｘ線透視台の前面で行うことも、裏面で行うことも、できることが記載されている。Ｘ線透視台は天板を含むものであるので、言い換えると、引例発明２には、フィルムマガジンの装填位置を、天板の前側とすることも、後側とすることも、できることが記載されている。
　引例発明１のカセッテレスＸ線透視撮影装置において、装填位置を、天板の後側（反手前側）にすることに換えて、引例発明２に記載された、装填位置を天板の前側とすることを採用して、天板の前側（手前側）として、その場合に、装填位置を天板の前側（手前側）とすることに伴って、装填位置を含む、Ｌ字の本体ケースの天板の長手方向に沿って伸延した部分を、天板の前側（手前側）として、相違点（Ａ）における本願発明のような構成としたことに、格別の困難性は認められない。
　
相違点（Ｂ）について：
　引例発明２には、フィルムマガジンが取り替えられる（出し入れされる）のが、本体ケースの前端からであることが記載されており、これを言い換えると、引例発明２には、フィルムマガジンが差し込まれて装填されるのが、本体ケースの前面からであることが記載されている。
　引例発明１のカセッテレスＸ線透視撮影装置において、引例発明１のフィルムマガジンが差し込まれて装填される仕方に換えて、前記引例発明２の構成を採用して、相違点（Ｂ）における本願発明のような構成としたことに格別の困難性は認められない。
　
　前記相違点（Ａ）及び（Ｂ）における本願発明の構成による効果は、引例発明１及び引例発明２から予測される範囲のものである。
　
（４）むすび
　以上のとおり、本願発明は、引用文献１及び引用文献２に記載された発明に基づいて、当業者が容易に発明をすることができたものであるから、特許法第２９条第２項の規定により特許を受けることができない。
　よって、結論のとおり審決する。